(57)【要約】【課題】ロータリー式電気かみそりにおいて、外刃ホルダーの着脱時に内刃ユニットが内刃支持枠から分離するのを確実に阻止する。同時に、前後の内刃ギヤを終段ギヤに対して適正に噛み合せて、終段ギヤと内刃ギヤとの間の動力伝動効率を向上させる。【解決手段】かみそりヘッド２の内刃支持枠５７に対して、内刃ユニット５８を前後面から装着する。内刃ユニット５８は、内刃１５と、内刃１５を回転自在に軸支する内刃フレーム８５と、片方の内刃軸８６に固定される内刃ギヤ８７とを含む。内刃支持枠５７側に内刃ギヤ８７と噛み合う終段ギヤ３９を設ける。内刃支持枠５７の上面に前後方向の装着部７７を形成する。内刃フレーム８５の下部両側に装着部７７と係合する係合部８８を形成する。内刃支持枠５７の内部に、係合部８８を係合捕捉するロックアーム９１とロックばね９２とを設ける。ロックアーム９１の前後端に、内刃フレーム８５を係合捕捉する係合爪９４を形成する。【選択図】        図１
2004223143.tif 000002
【特許請求の範囲】
【請求項１】
内刃ユニット５８が、かみそりヘッド２を構成する内刃支持枠５７に対して着脱自在に装着され、外刃ホルダー１２が内刃支持枠５７に対して上下方向に着脱されるロータリー式の電気かみそりであって、
内刃ユニット５８は、内刃フレーム８５と、両側の内刃軸８６が内刃フレーム８５で回転自在に軸支される内刃１５と、片方の内刃軸８６に固定される内刃ギヤ８７とを含み、
内刃支持枠５７側には、内刃ギヤ８７と噛み合う終段ギヤ３９が設けられており、
内刃ユニット５８を内刃支持枠５７に前後方向へ差し込み係合して、内刃ユニット５８が内刃支持枠５７に係合装着してあるロータリー式の電気かみそり。
【請求項２】
内刃支持枠５７の上面左右に、内刃フレーム８５を前後方向に差し込み係合するための装着部７７が形成されており、
内刃フレーム８５の下部両側に、装着部７７と係合する係合部８８が形成されている請求項１記載のロータリー式の電気かみそり。
【請求項３】
内刃支持枠５７の内部に、装着部７７に係合した係合部８８を分離不能に係合捕捉するロック機構が設けられており、
ロック機構は、内刃支持枠５７でロック姿勢とアンロック姿勢とに変位可能に支持されるロックアーム９１と、ロックアーム９１をロック姿勢に移動付勢するロックばね９２とを含み、
ロックアーム９１の突端に、内刃フレーム８５を係合捕捉する係合爪９４が形成されている請求項１または２記載のロータリー式の電気かみそり。
【請求項４】
前後一対の内刃ユニット５８が、内刃支持枠５７に対して前後面のそれぞれから係合装着されている請求項１または２または３記載のロータリー式の電気かみそり。
【請求項５】
前後一対の内刃１５間に配置した往復動刃１７を駆動する往復動力伝動系が、内刃支持枠５７に設けられている請求項１ないし４のいずれかに記載のロータリー式の電気かみそり。
【発明の詳細な説明】
【０００１】
【発明の属する技術分野】
本発明は、ロータリー型の内刃を備えている電気かみそりに関し、内刃ユニットの着脱構造を改良したものである。
【０００２】
【従来の技術】
ロータリー式の電気かみそりにおいて、内刃ユニットをかみそりヘッドの基台に対して着脱式にすることは公知である（特許文献１）。そこでは前後一対の内刃と内刃ホルダーとで内刃ユニットを構成しており、内刃ホルダーを基台に対して上方から圧嵌装着することにより、内刃ユニットを基台に固定できる。別の電気かみそりでは、内刃ユニットを内刃の回転中心軸に沿って着脱できる形式を採っている（特許文献２）。
【０００３】
【特許文献１】
特開平９−３８３５２号公報（段落番号００２３、図１）
【特許文献２】
特開平８−３８７５０号公報（段落番号００２６、図１）
【０００４】
【発明が解決しようとする課題】
特許文献１においては、内刃ユニットを基台に対して上方から圧嵌する装着構造を採るが、内刃ユニットと外刃ホルダーの基台に対する着脱方向とが同じであるため、外刃ホルダーを基台から取り外す際に、内刃ユニットまでもが基台から分離してしまうおそれがある。内刃ユニットを基台に装着した状態においては、前後の内刃ギヤが終段ギヤに対して同時に噛み合うが、内刃ホルダーの仕上がり寸法のばらつきによっては、前後の内刃ギヤを終段ギヤに対して均等に噛み合わせることが難しくなる。
【０００５】
前後の内刃ギヤは終段ギヤから上下逆向きの回転力を受けるが、上向きの回転力を受ける側の内刃ギヤと終段ギヤとの噛み合いが浅くなり、騒音を発生しやすい。基台の内部空間が、内刃ユニットおよび外刃ホルダーをそれぞれ係合固定するための係合構造で占められるので、基台内の両係合構造を避けて往復動力伝動系を設置することができず、従って前後一対の内刃間にセンター刃を配置した電気かみそりを構成できない制約がある。
【０００６】
特許文献２では、内刃ユニットを内刃の回転中心軸に沿って着脱するので、内刃ユニットの交換や内刃の清掃が簡便に行える。しかし、内刃の両端の回転軸は、互いに連結される２個の独立部品で支持するので、内刃の回転中心がずれやすい。
【０００７】
本発明の目的は、内刃ユニットをかみそり本体の前後方向から内刃支持枠に着脱でき、外刃ホルダーの着脱時に内刃ユニットが内刃支持枠から分離するのを確実に阻止できる電気かみそりを提供することにある。本発明の目的は、前後の内刃ギヤを終段ギヤに対して適正に噛み合う状態で内刃ユニットを内刃支持枠に装着でき、従って、終段ギヤと内刃ギヤとの間の動力伝動効率を向上できる電気かみそりを提供することにある。
【０００８】
【課題を解決するための手段】
本発明のロータリー式の電気かみそりでは、図１に示すように、内刃ユニット５８が、かみそりヘッド２を構成する内刃支持枠５７に対して着脱自在に装着され、外刃ホルダー１２が内刃支持枠５７に対して上下方向に着脱される。内刃ユニット５８は、内刃フレーム８５と、両側の内刃軸８６が内刃フレーム８５で回転自在に軸支される内刃１５と、片方の内刃軸８６に固定される内刃ギヤ８７とを含む。内刃支持枠５７側には内刃ギヤ８７と噛み合う終段ギヤ３９が設けられており、内刃ユニット５８を内刃支持枠５７に前後方向へ差し込み係合して、内刃ユニット５８が内刃支持枠５７に係合装着してある。
【０００９】
内刃支持枠５７の上面左右には、内刃フレーム８５を前後方向に差し込み係合するための装着部７７が形成されており、内刃フレーム８５の下部両側に、装着部７７と係合する係合部８８が形成されている。
【００１０】
内刃支持枠５７の内部には、装着部７７に係合した係合部８８を分離不能に係合捕捉するロック機構が設けられている。このロック機構は、内刃支持枠５７でロック姿勢とアンロック姿勢とに変位可能に支持されるロックアーム９１と、ロックアーム９１をロック姿勢に移動付勢するロックばね９２とを含み、ロックアーム９１の突端に、内刃フレーム８５を係合捕捉する係合爪９４が形成されている。
【００１１】
前後一対の内刃ユニット５８は、内刃支持枠５７に対して前後面のそれぞれから係合装着することができる。
【００１２】
前後一対の内刃１５間に配置した往復動刃１７を駆動する往復動力伝動系は、内刃支持枠５７に設けられている。
【００１３】
【発明の作用効果】
本発明では、内刃フレーム８５、内刃１５、および片方の内刃軸８６に固定される内刃ギヤ８７などで内刃ユニット５８を構成して、内刃１５の位置および支持姿勢の精度を高度化した。そのうえで、内刃ユニット５８を内刃支持枠５７に対して前後方向に係合装着して、内刃ユニット５８の装着方向を外刃ホルダー１２の着脱方向（上下方向）と交差させるようにした。これにより、外刃ホルダー１２の着脱時に、内刃ユニット５８に対して上下方向の外力が加わったとしても、内刃ユニット５８が動くことはない。従って、内刃ユニット５８が外刃ホルダー１２とともに内刃支持枠５７から分離するのを確実に阻止できる。内刃ユニット５８は前後方向に着脱するので、内刃ユニットを上下方向に着脱する場合に比べて、内刃ギヤ８７の高さを厳密に規定できる。従って、終段ギヤ３９と内刃ギヤ８７との軸間距離のばらつきを小さくして、両ギヤ３９・８７の噛み合いを適正化し、動力伝動効率を向上できる（請求項１）。
【００１４】
内刃支持枠５７の上面左右に設けた装着部７７に、内刃フレーム８５の下部両側に設けた係合部８８を差し込み係合して、内刃フレーム８５の両側端を位置決めした状態で内刃ユニット５８を内刃支持枠５７に固定するので、例えば内刃フレーム８５の中央１箇所のみが内刃支持枠５７に係合してある場合に比べて、内刃１５の位置および支持姿勢の精度がさらに向上し、落下などによって内刃フレーム８５に外力が作用する場合にも、外力に対してより強固に対抗できる（請求項２）。
【００１５】
内刃支持枠５７の内部に、ロックアーム９１とロックばね９２とを配置し、内刃フレーム８５の係合部８８を装着部７７に係合した状態において、ロックアーム９１の突端に設けた係合爪９４で内刃フレーム８５を係合捕捉できるようにした装着構造によれば、内刃ユニット５８を単に装着部７７に差し込み装着するだけの簡単な操作で、内刃フレーム８５をロック固定し、内刃ギヤ８７を終段ギヤ３９に対して適正に位置決めできる。従って、例えば係合部８８を装着部７７に係合した後、内刃ユニット５８をビスで内刃支持枠５７の締結固定する場合に比べて、内刃ユニット５８の取り付けが迅速にしかも簡便に行える（請求項３）。
【００１６】
前後一対の内刃ユニット５８を、内刃支持枠５７に対して前後面のそれぞれから対向する向きに係合する装着形態を採ると、前後の内刃ギヤ８７を終段ギヤ３９に対して均等に噛み合わせることができ、終段ギヤ３９と内刃ギヤ８７との間の動力伝動効率が向上する。前後の内刃ギヤ８７は終段ギヤ３９から上下逆向きの回転力を受けるが、それぞれ内刃フレーム８５が内刃支持枠５７に上下動不能に固定してあるので、上向きの回転力を受ける側の内刃ギヤ８７と終段ギヤ３９との噛み合いが浅くなるのを解消できる。前後の内刃ユニット５８を、個別に交換することができるので、片方の内刃１５の切刃が破損したような場合には、破損した側の内刃ユニット５８のみを交換すればよく、内刃交換を経済的に行える利点がある（請求項４）。
【００１７】
前後一対の内刃１５間に往復動刃１７を設け、往復動刃１７を駆動する往復動力伝動系が内刃支持枠５７に設けられていると、機能が異なる電気かみそりを多種類用意してシリーズ商品化できるので、商品展開を容易に行える点で有利である（請求項５）。
【００１８】
【実施例】
図１ないし図１２は本発明に係るロータリー式電気かみそりの実施例を示す。図２ないし図４において電気かみそりは、本体ケース１とその上部に設けたかみそりヘッド２と、本体ケース１に収容される電装品ユニット３などからなる。
【００１９】
本体ケース１の前面には、モーター起動用のスイッチボタン５、そのロックボタン６、および運転モードを切り換えるセレクトボタン７などの切り換え操作具と、表示具とを設けてある。
【００２０】
表示具は、セレクトボタン７の上側に設けた充電灯８と、電池残量表示灯９と、ケース上部に設けられて運転モードに応じて色が変化する逆Ｕ字状のモード表示灯１０と、ひげセンサーのオンオフに連動して点灯するセンサー灯１１の４種である。符号１２は外刃ホルダーである。
【００２１】
図３において本体ケース１の背面側には、きわぞり刃（往復動刃）１３と、きわぞり刃１３を駆動位置へ押し上げ操作するスライドノブ１４とが配設されている。かみそりヘッド２には、横軸まわりに回転する前後一対ずつの内刃１５および外刃１６と、一対の内刃１５の間に配置されるセンター刃（往復動刃）１７と、これらを駆動する駆動機構などを配置してある。このようにかみそりヘッド２に、メイン刃として前後一対ずつの内刃１５および外刃１６を設けることにより、シングルタイプのメイン刃構造に比べ早剃り性能を向上させることができる。
【００２２】
かみそりヘッド２の左右には、かみそりヘッド２を前後揺動不能にロック固定するためのロックノブ１８と、外刃ホルダー１２をロック解除操作する左右一対の解除ボタン１９などを設けてある。
【００２３】
図４において電装品ユニット３は、内フレーム２５と、内フレーム２５の前面に装着される回路基板２６と、回路基板２６の背面側に配置される左右一対の２次電池２７と、回路基板２６に組み付けられる電源スイッチ、および各種の表示用ＬＥＤ等で構成してある。
【００２４】
電装品ユニット３を本体ケース１内に装着した後、開口下面を塞ぐ底ケース２１と内フレーム２５とをビスで締結することにより、本体ケース１と、電装品ユニット３と、底ケース２１との３者は分離不能に一体化できる。この組み立て状態において、電装品ユニット３を含むケース内空間は、ケースパッキン２８で防水される（図６参照）。かみそりヘッド２は、その下面に固定した浮動フレーム２９を介して内フレーム２５に装着され、前後左右、および上下の全方位へフロート自在に支持される。
【００２５】
図２においてかみそりヘッド２には、モーター３１と、遊星歯車機構からなる減速機構３２をユニット化した動力モジュールと、減速機構３２で減速したモーター動力を内刃１５に伝える巻掛伝動機構３３と、モーター動力を左右方向の往復動力に変換してきわぞり刃１３、およびセンター刃１７に伝える動力系などが設けてある。
【００２６】
図６において巻掛伝動機構３３は、減速機構の出力軸３４に固定される原動プーリー３５と、終段軸３６に固定される従動プーリー３７と、両プーリ−３５・３６に巻掛け装着される無端ベルト３８とを含み、終段軸３６に設けた終段ギヤ３９で、前後の内刃１５が同時に回転駆動される。
【００２７】
モーター３１の回転動力を左右方向の往復動作に変換するための起振構造を有する。図７において起振構造は、動力モジュールの側面に固定されるガイド板４０と、モーター３１の出力軸に固定される駆動カム４１と、駆動カム４１で上下に往復駆動される受動ピース４２と、受動ピース４２の上下動作を左右動作に直接変換する逆Ｌ字状の伝動ベルト４３と、伝動ベルト４３の左右動作を受け継ぐスライド片４４とを含む。伝動ベルト４３は、ポリイミド繊維で強化されたポリウレタン製のタイミングベルトからなり、その屈曲部の内外が変向ギヤ４５と遊転ローラー４６とで変向案内される。
【００２８】
図８においてスライド片４４に伝動された往復動力は、その上面中央に突設した駆動ピン４７と振動子４８とからなる往復動力伝動系を介してセンター刃１７に伝動され、同時にスライド片４４の後面に設けた駆動アーム４９を介してきわぞり刃１３に伝動される。
【００２９】
センター刃１７は、外刃ホルダー１２に固定される断面逆Ｕ字状の固定外刃５１と、固定外刃５１の内面に配置される可動内刃５２とで構成してあり、振動子４８の駆動軸４９で可動内刃５２を左右に往復駆動することにより、主として長毛やくせ毛を切断する。
【００３０】
図５においてかみそりヘッド２は、動力モジュールの上面に装着固定されるヘッドフレーム５５と、ヘッドフレーム５５に前後揺動可能に支持される揺動枠５６、および内刃支持枠５７と、内刃支持枠５７に対して前後面からそれぞれ着脱可能に装着される内刃ユニット５８と、内刃支持枠５７に着脱自在に装着される外刃ホルダー１２と、内刃支持枠５７の内部に収容される振動子４８などで構成されている。ヘッドフレーム５５、揺動枠５６、および内刃支持枠５７は、それぞれプラスチック成形品からなる。
【００３１】
ヘッドフレーム５５は、下向きに開口するケース部６０と、ケース部６０の上面両側に立設した側壁６１とを備えており、左右の側壁６１で揺動枠５６を前後揺動可能に軸支する。そのために、ケース部６０の上面壁は揺動枠５６の揺動軌跡に沿って下凹み円弧状に形成されている。
【００３２】
四角枠状に形成される揺動枠５６の上面左右には、上端に揺動ボス６２を備えた揺動腕６３が立設されており、先の側壁６１で揺動ボスを前後揺動自在に軸支する。これにより、ヘッドフレーム５５を除く、揺動枠５６および内刃支持枠５７などの各部材が前後方向に揺動できる。しかし、ロックノブ１８を押し下げると揺動できない状態になる。揺動ボス６２に、終段軸３６と終段ギヤ３９とが組み込まれる（図６参照）。振動子４８の左右両端の取付部は揺動枠５６に固定してある。
【００３３】
内刃支持枠５７は、下向きに開口する角箱状のカバー部７５と、カバー部７５の上面左右に突設されたトンネル断面状のアーチ部７６とを一体に備えており、揺動枠５６に上面側から係合装着されてヘッドフレーム５５の上面を側壁６１ごとカバーする。
【００３４】
カバー部７５の上面４箇所には、内刃ユニット５８を前側あるいは後側から係合装着するための装着部７７を形成してある。図１および図９において装着部７７は、アーチ部７６と対向する前後方向の水平のレール７８と、レール下面の連結凹部７９とからなる。レール７８の端部に臨むカバー部７５の上壁には、後述する係合爪９４を出没させるための爪開口８０（図１２参照）が形成されている。前後に隣接する連結凹部７９は、それぞれ独立して区画してあり、その内奥端で内刃ユニット５８の差し込み限界を規定している。
【００３５】
内刃支持枠５７を揺動枠５６に装着することにより、振動子４８の駆動軸６８のみがカバー部７５の開口上面から上方へ突出するが、この開口と駆動軸６８との間はパッキン６９で封止する。内刃支持枠５７のアーチ部７６の外側壁には、ロックノブ１８と解除ボタン１９とが組み込まれる。
【００３６】
図１、図９、図１０において、内刃ユニット５８は、左右に長いＨ字状の内刃フレーム８５と、内刃フレーム８５で軸支される内刃１５と、内刃１５の両側端に突設される内刃軸８６と、片方の内刃軸８６に固定した内刃ギヤ８７とからなる。内刃フレーム８５の左右の脚下部には、先のレール７８と係合する係合溝（係合部）８８が左右対向状に設けてある。係合溝８８より下側の溝壁８９が、レール７８の下方の連結凹部７９に嵌合する。前後の内刃ユニット５８は、図９に示す矢印の方向（前後方向）へ差し込み装填することにより内刃支持枠５７に装着できる。また、内刃ユニット５８を内刃支持枠５７から取り外す場合には、前後の内刃ユニット５８を矢印とは逆向きに抜き出す。
【００３７】
内刃１５は、円柱状のプラスチック製ホルダーの周面に、一群の金属切刃をスパイラル状に埋設固定して構成する。内刃軸７６は内刃フレーム７５に固定した金属製のブッシュ（図示していない）で回転自在に軸支されている。
【００３８】
内刃支持枠５７の前側及び後側から係合装着した内刃ユニット５８のそれぞれを前後移動不能に係合捕捉するためのロック機構を有する。このロック機構は、内刃支持枠５７の内部に設けられており、図１２に示すごとく前後に長いロックアーム９１と、ロックアーム９１を押し上げ付勢する圧縮コイル形のロックばね９２とからなる。
【００３９】
ロックアーム９１の前後端には、内刃フレーム８５のロック面９３を係合捕捉する係合爪９４が上向きに突設されており、アームの前後中央にロックばね９２を受け入れるボス９５が形成されている。ロックアーム９１は、アーム上面がカバー部７５の上壁内面に当たる状態で内刃支持枠５７に組み付けられて、係合爪９４が爪開口８０から突出している。ロックアーム９１の全体が同時に上下変位することにより、あるいはロックアーム９１の前後いずれか一方が上下に傾動変位することにより、係合爪９４をロック姿勢とアンロック姿勢とに切り換えることができる。
【００４０】
内刃ユニット５８を装着部７７に差し込み装着した状態においては、図１１に示すように、左右一対ずつの係合溝８８とレール７８、および溝壁８９と連結凹部７９とが互いに係合している。さらに、ロックアーム９１の係合爪９４がロック面９３と係合して、内刃フレーム８５を前後移動不能に拘束している。つまり、前後の内刃ユニット５８は、それぞれ前後、左右、上下の全方位へ移動不能に保持固定されており、この装着状態において前後の内刃ギヤ８７は、図１２に示すようにそれぞれ終段ギヤ３９の上半周面において終段ギヤ３９と噛み合っている。終段ギヤ３９と内刃ギヤ８７との間では、回転動力が僅かに増速される。上記のように、アーム部分と係合爪９４を一体化した１個のロックアーム９１で前後の内刃ユニット５８を同時に係合補足すると、ロック機構の構成部品点数を最小限化し、その分だけ製造コストを削減できる。
【００４１】
内刃１５の交換のために、内刃ユニット５８は内刃支持枠５７から抜き外すことができる。その場合には、先の係合爪９４をロックばね９２の付勢力に抗して押し下げながら、内刃フレーム８５を差し込み方向と逆に抜き出し操作することにより、内刃ユニット５８の全体を内刃支持枠５７から分離できる。
【００４２】
図１において外刃ホルダー１２は、前後一対の外刃１６およびセンター刃１７を支持する内ケース１２ｂと、内ケース１２ｂを支持する外ケース１２ａとに分けて構成してある。内ケース１２ｂを外ケース１２ａに対して下面側から係合装着することにより、両ケース１２ａ・１２ｂが一体化されている。外刃ホルダー１２をかみそりヘッド２に装着した状態においては、内外の両ケース１２ａ・１２ｂが、内刃支持枠５７の前後面を覆い隠してしまう。外刃１６は逆Ｕ字状に湾曲保持した金属薄板からなり、その板面には一群の刃孔が網目状に形成されている。
【００４３】
内刃１５の交換や清掃を行う場合には、かみそりヘッド２の左右に設けた解除ボタン１９を操作して、外刃ホルダー１２を内刃支持枠５７から取り外す。詳しくは、解除ボタン１９を押し込み操作すると、解除ボタン１９と一体に形成してある係合爪１０２（図９参照）が、内刃支持枠５７の周壁内方へ沈み込み、外刃ホルダー１２の側壁内面に形成した係合凹部１０１との係合状態を解除するので、外刃ホルダー１２を上方に向けて取り外すことができる。
【００４４】
図１３ないし図１４に、内刃ユニット５８を内刃支持枠５７から取り外す際に使用する分離治具を示す。分離治具は、内刃ユニット５８に上面側から外嵌するカバー部１０５と、カバー部１０５の下端一側から前後向きに突設される摘み部１０６とを一体に形成したプラスチック成形品からなる。カバー部１０５を内刃ユニット５８に外嵌した後、ロック機構の係合爪９４を押し下げながら摘み部１０６を手前側へ引張ることにより、内刃１５の歯面に指先が触るのを避けて、内刃ユニット５８を安全に取り外すことができる。カバー部１０５を内刃ユニット５８に外嵌した状態においては、カバー部１０５内面の爪で内刃フレーム８５の横枠下面を支え保持するので、内刃ユニット５８が自重で落下することはない。
【００４５】
図１４に示すようにカバー部１０５の壁外面には、左右一対の規制片１０７が突設してある。これらの規制片１０７は、内刃ユニット５８を内刃支持枠５７に装着する際に、分離治具の左右位置を内刃支持枠５７に対して位置決めするために設けてあり、内刃支持枠５７の上面に膨出した左右の対向壁１０８に規制片１０７を宛がった状態で分離治具を差し込み操作することにより、内刃ユニット５８の係合溝８８を、内刃支持枠５７の装着部７７に適正に差し込み係合できる。
【００４６】
上記の実施例以外に、ロック機構を省略して、内刃ユニット５８をビスで内刃支持枠に固定することができる。装着部７７は溝状に形成し、係合部８８を先の溝に係合するレール状に形成してもよい。外刃ホルダー１２の内刃支持枠５７対する着脱形態としては、外刃ホルダー１２が軸回りに揺動して装着姿勢と開放姿勢とに変位する形態を採ることができる。この発明は、かみそりヘッド２に１個の内刃ユニット５８を備えている電気かみそりにも適用できる。ロック機構は前後の内刃ユニット５８に対応して個別に設けることができる。例えば、前後一対ずつのロックアーム９１で内刃フレーム８５をロック固定できる。
【図面の簡単な説明】
【図１】一方の内刃ユニットを分離した状態でのかみそりヘッドの縦断側面図
【図２】電気かみそりの正面図
【図３】電気かみそりの側面図
【図４】電気かみそりの分解正面図
【図５】かみそりヘッドの分解正面図
【図６】かみそりヘッドの縦断正面図
【図７】かみそりヘッドの中央縦断正面図
【図８】かみそりヘッドの縦断正面図
【図９】かみそりヘッドの分解斜視図
【図１０】かみそりヘッドの分解正面図
【図１１】内刃ユニットの装着状態を示す正面図
【図１２】内刃ユニットの装着状態を示す縦断側面図
【図１３】内刃ユニットの着脱時に使用される分離治具の斜視図
【図１４】分離治具の使用状態を示す斜視図
【符号の説明】
２  かみそりヘッド
１５  内刃
３９  終段ギヤ
５７  内刃支持枠
５８  内刃ユニット
７７  装着部
７８  レール
７９  連続凹部
８５  内刃フレーム
８６  内刃軸
８７  内刃ギヤ
８８  係合部
９１  ロックアーム
９２  ロックばね
９４  係合爪
【図１】
2004223143.tif 000003
【図２】
2004223143.tif 000004
【図３】
2004223143.tif 000005
【図４】
2004223143.tif 000006
【図５】
2004223143.tif 000007
【図６】
2004223143.tif 000008
【図７】
2004223143.tif 000009
【図８】
2004223143.tif 000010
【図９】
2004223143.tif 000011
【図１０】
2004223143.tif 000012
【図１１】
2004223143.tif 000013
【図１２】
2004223143.tif 000014
【図１３】
2004223143.tif 000015
【図１４】
2004223143.tif 000016